(57)【要約】  本発明は、建具を開閉操作する取っ手部の近くに、ロック装置の駆動時に連動するロック／アンロック表示部を備えることによって、障子がロックされたか否かを目視で確認できるようにした、ロック／アンロックの表示機能が備えられた建具用ロック装置に関する。
2021535307.tif 000002
【特許請求の範囲】
【請求項１】
スライド開閉される障子（２０）の室内側に結合され、内部に軸孔（１０１）が形成された収納空間が備えられ、表面に表示窓（１１１）が備えられる本体部（１００）と、
前記本体部（１００）の軸孔（１０１）に駆動軸（２０１）を介して回動可能に結合され、前記駆動軸（２０１）の回動操作後に元の状態に自動で復帰できるようにバネ（２０３）を介して結合される取っ手部（２００）と、
前記障子（２０）の一側溝部（２１）に埋め込まれた状態で前記駆動軸（２０１）の先端に結合され、前記駆動軸（２０１）に結合された駆動ギヤ（３１１）及びロッド（３１３）を介して連動するフック（３１５）が備えられたハードウェア（３１０）を含み、前記障子（２０）の閉鎖時に、前記フック（３１５）が窓枠（１０）に設置されたストライカ（３２０）と当接して回動しながら自動で係止固定され、前記取っ手部（２００）の回動操作時に前記フック（３１５）の係止が解除されるロック部（３００）と、
前記障子（２０）の閉鎖時に、前記窓枠（１０）の内周面と当接して押圧され得るように前記ハードウェア（３１０）の対向面に弾性的に突出する作動ボタン（４１０）と、前記作動ボタン（４１０）の押圧と連動して引っ張り作動できるように弾性支持される連動ピン（４２０）と、前記連動ピン（４２０）の引っ張り作動によって係止解除されると同時に、前記本体部（１００）内で一側に移動できるように弾性支持される色表示部材（４３０）と、前記取っ手部（２００）の回動操作を通じた前記障子（２０）の開放時に弾性復帰する前記連動ピン（４２０）によって、前記色表示部材（４３０）が再び係止固定され得るように、前記駆動軸（２０１）と一体に回動しながら前記色表示部材（４３０）を他側に押して移動させる回動カム（４４０）とを含み、前記色表示部材（４３０）の移動位置に応じて前記表示窓（１１１）を通じてロックされたか否かが表示されるロック表示部（４００）と、を含む、建具用ロック装置。
【請求項２】
前記フック（３１５）は、
前記ストライカ（３２０）の係止段部（３２１）に弾性的に係止固定され得るようにトーションバネを介して弾性支持される、請求項１に記載の建具用ロック装置。
【請求項３】
前記作動ボタン（４１０）は、
一端が前記窓枠（１０）の内周面側に突出するように、前記ハードウェア（３１０）の第１挿入孔（３１０ａ）にバネ（４１１）を介して弾性支持可能に結合され、他端は、前記作動ボタン（４１０）の押圧時に、前記第１挿入孔（３１０ａ）と直交する水平方向に連通した第２挿入孔（３１０ｂ）内に傾斜突部（４１３）が突出するように配置される、請求項１に記載の建具用ロック装置。
【請求項４】
前記連動ピン（４２０）は、
前記第２挿入孔（３１０ｂ）の内部に突出する前記傾斜突部（４１３）の傾斜面（４１３ａ）と接触しながら連動できるように、一端（４２０ａ）に前記傾斜突部（４１３）が挿入される挿入孔（４２１）が備えられ、他端（４２０ｂ）は、前記作動ボタン（４１０）の押圧解除時に、前記色表示部材（４３０）の背面の係止溝（４３１）に係止固定され得るように、前記本体部（１００）のケーシング（１０３）内にバネ（４２３）を介して弾性支持される、請求項３に記載の建具用ロック装置。
【請求項５】
前記色表示部材（４３０）は、
前記本体部（１００）内に左右に往復移動可能に結合され、かつ、バネ（４３３）を介して一側に弾性支持可能に結合され、表面には、前記表示窓（１１１）を通じて前記ロック部（３００）がロックされたか否かを認識できるように、左右側に互いに異なる色が表示された識別板（４３５）が備えられる、請求項４に記載の建具用ロック装置。
【請求項６】
前記回動カム（４４０）は、
前記駆動軸（２０１）に一体に結合され、外周面には、前記連動ピン（４２０）の他端が前記色表示部材（４３０）の前記係止溝（４３１）に係止固定され得るように、回動時に前記色表示部材（４３０）の段部（４３７）を他側に押して移動させる加圧突起（４４１）が備えられる、請求項４に記載の建具用ロック装置。
【請求項７】
前記本体部（１００）の一側には、
ガイドレール（１１３）に沿って上下にスライド可能に結合される作動ノブ（５１０）の上昇操作時に、前記作動ノブ（５１０）の上端が前記回動カム（４４０）の段差溝部（４４３）に係止固定されて前記取っ手部（２００）の回動操作を遮断する補助ロック部（５００）をさらに含む、請求項１又は６に記載の建具用ロック装置。
【発明の詳細な説明】
【技術分野】
【０００１】
本発明は、建具用ロック装置に関し、より詳細には、自動ロック装置が備えられた建具がロックされたか否かを目視で確認できるロック／アンロックの表示機能が備えられた建具用ロック装置に関する。
【背景技術】
【０００２】
一般に、居間やベランダなどに設置される建具にはロック装置が備えられる。最近は、別途のロック操作なしに障子を閉じるだけでロックが行われるようにした自動ロック装置が提供されている。
【０００３】
このような建具用ロック装置については、大韓民国登録実用新案公報第２０−０４０９０１４号（公告日：２００６年０２月２２日）などに先に出願されている。
【０００４】
図１を参照すると、従来の建具用自動ロック装置は、窓枠フレーム１の内周面に固定設置されるストライカ（ｓｔｒｉｋｅｒ）１ａと、スライド開閉される障子２に設置され、障子２の閉操作時にストライカ１ａの係止部に自動で係止固定され得るように旋回操作されるフック（図示せず）が備えられたハードウェア２ａとを含む。この場合、フックは、ロッドを介してハンドル２ｂと連動するように設置されてロック／アンロック操作が行われる。
【０００５】
しかし、前記のような従来の建具用自動ロック装置は、障子２が正しくロックされたかを目視で確認できないので、障子２を直接押してロックされたかを確認しなければならないという煩わしさがある。
【発明の概要】
【発明が解決しようとする課題】
【０００６】
本発明は、上述した問題点を解決するために案出されたもので、建具を開閉操作する取っ手部の近くに、ロック装置の駆動時に連動するロック／アンロック表示部を備えることによって、障子がロックされたか否かを目視で確認できるようにした、ロック／アンロックの表示機能が備えられた建具用ロック装置を提供することにその目的がある。
【課題を解決するための手段】
【０００７】
上述したような目的を具現するための本発明に係るロック／アンロックの表示機能が備えられた建具用ロック装置は、スライド開閉される障子の室内側に結合され、内部に軸孔が形成された収納空間が備えられ、表面に表示窓が備えられる本体部と；
【０００８】
前記本体部の軸孔に駆動軸を介して回動可能に結合され、前記駆動軸の回動操作後に元の状態に自動で復帰できるようにバネを介して結合される取っ手部と；
【０００９】
前記障子の一側溝部に埋め込まれた状態で前記駆動軸の先端に結合され、前記駆動軸に結合された駆動ギヤ及びロッドを介して連動するフックが備えられたハードウェアを含み、前記障子の閉鎖時に、前記フックが窓枠に設置されたストライカと当接して回動しながら自動で係止固定され、前記取っ手部の回動操作時に前記フックの係止が解除されるロック部と；
【００１０】
前記障子の閉鎖時に、前記窓枠の内周面と当接して押圧され得るように前記ハードウェアの対向面に弾性的に突出する作動ボタンと、前記作動ボタンの押圧と連動して引っ張り作動できるように弾性支持される連動ピンと、前記連動ピンの引っ張り作動によって係止解除されると同時に、前記本体部内で一側に移動できるように弾性支持される色表示部材と、前記取っ手部の回動操作を通じた前記障子の開放時に弾性復帰する前記連動ピンによって、前記色表示部材が再び係止固定され得るように、前記駆動軸と一体に回動しながら前記色表示部材を他側に押して移動させる回動カムとを含み、前記色表示部材の移動位置に応じて前記表示窓を通じてロックされたか否かが表示されるロック表示部と；を含む。
【発明の効果】
【００１１】
以上のような構成による本発明は、障子の開閉操作のための取っ手部の本体部の近くに、ロック部と連動するロック表示部を備えることで、ロック表示部の色の変化を通じて、障子がロックされたか否かを目視で容易に確認することができる。
【００１２】
また、本体部の一側に別途の補助ロック部を備えることで、幼児や子供が障子を開けることができないように取っ手部の操作を選択的に遮断することができ、これによって、事故の発生を防止することができる。
【図面の簡単な説明】
【００１３】
【図１】従来の自動ロック装置が備えられた建具の室内側立面図である。
【図２】本発明に係るロック／アンロックの表示機能が備えられた建具用ロック装置の要部斜視図である。
【図３】本発明に係るロック／アンロックの表示機能が備えられた建具用ロック装置の分解斜視図である。
【図４】本発明に係るロック部の内部構成を示す斜視図である。
【図５】本発明に係る作動ボタンの具体的な結合構造を示す詳細図である。
【図６】本発明に係る作動ボタンの具体的な結合構造を示す詳細図である。
【図７Ａ】図６のＩ−Ｉ’線断面図及びロック表示部の作動状態図である。
【図７Ｂ】図６のＩ−Ｉ’線断面図及びロック表示部の作動状態図である。
【図８】本発明に係るロック表示部及び補助ロック部の構成を示す要部斜視図である。
【図９Ａ】本発明に係る建具用ロック装置の作動過程を示す図である。
【図９Ｂ】本発明に係る建具用ロック装置の作動過程を示す図である。
【図９Ｃ】本発明に係る建具用ロック装置の作動過程を示す図である。
【発明を実施するための形態】
【００１４】
以下、添付の図面を参照して、本発明の具体的な実施例に対する構成及び作用を詳細に説明すると、次の通りである。
【００１５】
ここで、各図面の構成要素に対して参照符号を付加するにおいて、同一の構成要素に限っては、たとえ他の図面上に表示されても、可能な限り同一の符号で表記されたことに留意する。
【００１６】
図２は、本発明に係るロック／アンロックの表示機能が備えられた建具用ロック装置の要部斜視図であり、図３は、建具用ロック装置の分解斜視図である。
【００１７】
図２を参照すると、本発明の好ましい一実施例に係るロック／アンロックの表示機能が備えられた建具用ロック装置は、本体部１００、取っ手部２００、ロック部３００、及びロック表示部４００を含む。
【００１８】
このような本発明の構成について具体的に説明すると、次の通りである。
【００１９】
図３を参照すると、本体部１００は、スライド開閉される障子２０の室内側に結合され、軸孔１０１が形成された収納空間が備えられる。そして、本体部１００の表面に結合されるカバー１１０には表示窓１１１が備えられる。表示窓１１１は、障子２０がロックされたか否かを特定の色を通じて表示するものであって、このような表示窓１１１は、一例として、錠の形状に形成されてもよい。
【００２０】
取っ手部２００は、本体部１００の軸孔１０１に駆動軸２０１を介して回動可能に結合されるものであって、障子２０の開放時に一側に回動操作することによって、ロック部３００のロックを解除する。この場合、取っ手部２００は、駆動軸２０１の回動操作後に元の状態に自動で復帰できるように、本体部１００にバネ２０３を介して結合される。すなわち、取っ手部２００は、外力が加わらない場合、常に垂直に配置された状態を維持することになる。
【００２１】
ロック部３００は、障子２０の閉操作時に、ハードウェア３１０を介して自動でロック状態を設定できるようにしたものであって、障子２０の一側溝部２１（図２参照）にハードウェア３１０が埋め込まれた後、締結部材（図示せず）を介して固定設置される。設置されたハードウェア３１０には駆動軸２０１の先端が結合される。
【００２２】
図４を参照して具体的に説明すると、駆動軸２０１の先端に、ハードウェア３１０の内部の駆動ギヤ３１１が一体に回動可能に結合され、駆動ギヤ３１１には、ロッド３１３が昇降可能に噛合される。昇降するロッド３１３の上、下端には、フック３１５が連動しながら回動可能にそれぞれ設置される。そして、フック３１５は、トーションバネ（図示せず）を介して係止固定される方向に回動（同図において反時計方向）可能なように弾性支持される。
【００２３】
このような構成のロック部３００は、障子２０の閉鎖時に、フック３１５の先端の傾斜面が、窓枠１０の内周面に設置されたストライカ３２０と当接して所定角度回動した後、トーションバネの弾性復元力により係止段部３２１に自動で係止固定されることによってロック状態となる。
【００２４】
反対に、障子２０の開放時に、取っ手部２００を障子２０の開放方向に回動操作すると、連動するロッド３１３がフック３１５を回動（同図において時計方向）させるようになり、これによって、ストライカ３２０の係止段部３２１からフック３１５の係止が解除されることによってロックが解けるようになる。
【００２５】
一方、ハードウェア３１０には、駆動ギヤ３１１の回動時に中間ギア３１２を介して連動して窓枠１０の内周面側に旋回突出するアーム３３０が備えられる。このようなアーム３３０は、障子２０の開放のための取っ手部２００の回動操作時に、回転軸３３１を中心に旋回突出しながら窓枠１０の内周面を押すことによって、障子２０を開放方向に所定間隔離隔させることができる。すなわち、アーム３３０を介して、小さな力で障子２０を容易に開放することができる。この場合、突出するアーム３３０の端部にはローラ３３３が備えられることで、アーム３３０の旋回突出時に窓枠１０の内周面と当接することによって発生する摩擦を低減することができる。
【００２６】
以上のようなロック部３００は、従来に様々な形態で適用されて使用されているもので、これについての具体的な構造の説明は省略する。
【００２７】
再び図３を参照すると、ロック表示部４００は、障子２０がロックされたか否かを目視で容易に確認できるように設けられたものであって、このようなロック表示部４００は、作動ボタン４１０、連動ピン４２０、色表示部材４３０、及び回動カム４４０を含むことができる。
【００２８】
図５及び図６を参照すると、作動ボタン４１０は、障子２０の閉鎖時に窓枠１０の内周面の突出部１１に当接して押圧作動可能なように、ハードウェア３１０の対向面に弾性的に突出して設置される。具体的には、作動ボタン４１０は、一端が窓枠１０の内周面側に弾性的に突出できるように、ハードウェア３１０の第１挿入孔３１０ａ内にバネ４１１を介して弾性支持可能に結合される。バネ４１１は、作動ボタン４１０内の設置空間４１０ａに設置され得る。この場合、設置空間４１０ａ内には、バネ４１１の一側を固定する固定片３１７が備えられることで、作動ボタン４１０の弾性支持が可能である。そして、作動ボタン４１０の他端には傾斜突部４１３が形成される。このような構造の作動ボタン４１０は、押圧される際に、第１挿入孔３１０ａと直交する水平方向に連通した第２挿入孔３１０ｂの内部に傾斜突部４１３が突出するように配置される。
【００２９】
図７Ａを参照すると、連動ピン４２０は、作動ボタン４１０の押圧時に連動して引っ張り作動できるように第２挿入孔３１０ｂ内に設置される。具体的には、連動ピン４２０の一端４２０ａには、第２挿入孔３１０ｂの内部に突出する傾斜突部４１３の傾斜面４１３ａと接触しながら第２挿入孔３１０ｂの軸方向に沿って移動できるように傾斜突部４１３が挿入される挿入孔４２１が備えられる。そして、連動ピン４２０の他端４２０ｂは、作動ボタン４１０の押圧解除時に弾性復元力によって色表示部材４３０の背面の係止溝４３１側に突出しながら係止固定され得るように、本体部１００のケーシング１０３内にバネ４２３を介して結合される。
【００３０】
図７Ｂを参照すると、色表示部材４３０は、連動ピン４２０の引っ張り作動によって係止解除されると同時に、本体部１００内で一側に移動するものであって、色表示部材４３０は、本体部１００の表示窓１１１を通じて障子２０がロック状態であることを特定の色（一例として赤色）で表示するようになる。具体的には、色表示部材４３０は、本体部１００内に左右に移動可能に結合され、バネ４３３を介して一側に弾性支持可能に結合される。このような構造の色表示部材４３０は、障子２０の閉鎖時に、連動ピン４２０の引っ張り作動によって背面の係止溝４３１から連動ピン４２０の係止が解除され、これと同時に、バネ４３３の弾性復元力によって色表示部材４３０が一側に移動するようになる。これによって、表示窓１１１を通じて、障子２０がロック状態であることを表示するようになる。すなわち、色表示部材４３０の前面には、カバー１１０の表示窓１１１を通じて特定の色を表示できるように、左右側に互いに異なる色が表示された識別板４３５が備えられる。例えば、識別板４３５の一側４３５ａには、障子２０がロック解除状態であることを知らせる目立たない色（一例として、表示窓に備えられたカバーと同じ色）が表示され、識別板４３５の他側４３５ｂには、障子２０のロック状態を知らせる赤色が表示されてもよい。
【００３１】
図８を参照すると、回動カム４４０は、取っ手部２００の操作による障子２０の開放時に、色表示部材４３０を他側に押して移動させるものであって、回動カム４４０は、駆動軸２０１に結合されて一体に回動する。具体的には、回動カム４４０の外周面には、色表示部材４３０の段部４３７を他側に押して移動させる加圧突起４４１が備えられる。このような構成の回動カム４４０は、取っ手部２００の回動操作と同時に、色表示部材４３０を他側に押して移動させるようになり、移動する色表示部材４３０が所定の地点に位置する瞬間、弾性復帰する連動ピン４２０の他端が色表示部材４３０の背面の係止溝４３１に係止されることで位置が固定される（図７Ａの状態）。
【００３２】
一方、本体部１００には、幼児や子供が障子２０を開けることができないように取っ手部２００の操作を選択的に遮断する補助ロック部５００がさらに備えられてもよい。
【００３３】
具体的には、補助ロック部５００は、本体部１００の一側に備えられたガイドレール１１３に沿ってスライド可能に結合される作動ノブ５１０を含むことで、作動ノブ５１０の上昇作動時に、作動ノブ５１０の上端が回動カム４４０の外周面に備えられた段差溝部４４３に係止されるようにすることによって、取っ手部２００の回動操作自体を不可能にし、これによって事故を防止することができる。
【００３４】
以上のような構成の本発明に係るロック／アンロックの表示機能が備えられた建具用ロック装置の作動原理について、図９Ａ〜図９Ｃを参照して説明する。
【００３５】
図９Ａを参照すると、開放された障子２０の閉操作のために、取っ手部２００を把持した状態で障子２０を窓枠１０側にスライド移動させる。このとき、取っ手部２００は、回動せずに垂直状態を維持するようになる。そして、窓枠１０と対向するハードウェア３１０の対向面に設置された作動ボタン４１０は、弾性的に突出した状態である。併せて、ロック表示部４００は、表示窓１１１を通じて識別板４３５の一側４３５ａの色が露出することによって、現在の障子２０がロック解除された状態であることを表示する（図７Ａの状態）。
【００３６】
図９Ｂを参照すると、障子２０が窓枠１０に当接して閉鎖される瞬間、障子２０に設置されたフック３１５の先端が窓枠１０の内周面に設置されたストライカ３２０の係止段部３２１に弾性的に係止固定されてロック状態となる。これと同時に、作動ボタン４１０が窓枠１０の内周面と当接して押圧されながら、これと連動する連動ピン４２０の作動によって色表示部材４３０が一側に移動するようになり、表示窓１１１を通じて識別板４３５の他側４３５ｂの色（赤色）が露出することによって、現在の障子２０がロック状態であることを目視で確認することができる（図７Ｂの状態）。
【００３７】
図９Ｃを参照すると、障子２０の開放のために、取っ手部２００を障子２０が開放される方向に沿って旋回させると、ロッド３１３の作動によってフック３１５の係止固定が解除されながらロック部３００のロック状態が解除される。これと同時に、窓枠１０の内周面側に旋回突出するアーム３３０が窓枠１０の内周面を所定間隔押すことによって、障子２０を容易に開放することができる。併せて、取っ手部２００の旋回操作によって回動する回動カム４４０（図８参照）が、色表示部材４３０を他側に押して移動させるようになり、これと同時に、作動ボタン４１０の押圧解除によって、連動ピン４２０の他端４２０ｂが色表示部材４３０の背面の係止溝４３１に係止固定されることで、表示窓１１１を通じて識別板４３５の一側４３５ａの色が露出した状態を維持させるようになる。したがって、現在の障子２０がロック解除された状態であることを目視で確認することができる（図７Ａの状態）。
【００３８】
以上では、本発明を特定の具体的な実施例を挙げて図示し、説明したが、本発明は、前記の実施例に限定されず、本発明の技術思想を逸脱しない範囲内で様々な変更及び修正が可能である。
【符号の説明】
【００３９】
１０    窓枠
１１    突出部
２０    障子
２１    一側溝部
１００    本体部
１０１    軸孔
１０３    ケーシング
１１０    カバー
１１１    表示窓
１１３    ガイドレール
２００    取っ手部
２０１    駆動軸
２０３    バネ
３００    ロック部
３１０    ハードウェア
３１０ａ    第１挿入孔
３１０ｂ    第２挿入孔
３１１    駆動ギヤ
３１３    ロッド
３１５    フック
３１７    固定片
３２０    ストライカ
３２１    係止段部
３３０    アーム
３３１    回転軸
３３３    ローラ
４００    ロック表示部
４１０    作動ボタン
４１０ａ    設置空間
４１１    バネ
４１３    傾斜突部
４１３ａ    傾斜面
４２０    連動ピン
４２０ａ    一端
４２０ｂ    他端
４２１    挿入孔
４２３    バネ
４３０    色表示部材
４３１    係止溝
４３３    バネ
４３５    識別板
４３５ａ    一側
４３５ｂ    他側
４３７    段部
４４０    回動カム
４４１    加圧突起
４４３    段差溝部
５００    補助ロック部
５１０    作動ノブ
【図１】
2021535307.tif 000003
【図２】
2021535307.tif 000004
【図３】
2021535307.tif 000005
【図４】
2021535307.tif 000006
【図５】
2021535307.tif 000007
【図６】
2021535307.tif 000008
【図７ａ】
2021535307.tif 000009
【図７ｂ】
2021535307.tif 000010
【図８】
2021535307.tif 000011
【図９ａ】
2021535307.tif 000012
【図９ｂ】
2021535307.tif 000013
【図９ｃ】
2021535307.tif 000014
【国際調査報告】
2021535307.tif 000015
2021535307.tif 000016
2021535307.tif 000017
2021535307.tif 000018